(57)【要約】  【課題】  例えば、携行時や収納時又は使用後に指やゴミ袋などの他の物に突き刺さり難く、携行時や収納時には嵩張らず、更に、剛性強度の観点に基づいた材質の選択範囲を拡張できる楊枝および楊枝セットを提供すること。  【解決手段】  楊枝型材２を使用する場合は、切取線５で楊枝型材２の基端部が連結型材３から切り取られ、この切り取られた楊枝型材２毎に使用される。このように切り取られた楊枝型材２を使用する場合、かかる楊枝型材２は、曲折線２ｂに沿って曲折され、楊枝型材２における縦方向一端から他端にかけた横方向略中央の部分が略Ｖ字形の折れ曲がった姿態（形態）に変形される。このように曲折線２ｂで曲折されることによって、楊枝型材２には捩れ強度や曲げ強度が付与される。【選択図】        図３  
2005168580.tif 000002
【特許請求の範囲】
【請求項１】
横方向長さに比べて縦方向長さが大きな略薄板状又は略シート状に形成される楊枝型材と、
その楊枝型材の縦方向一端から他端側にかけたその楊枝型材の横方向略中央の部分であって外力を受けた場合に曲折可能に形成されている被曲折部とを備えていることを特徴とする楊枝。
【請求項２】
前記被曲折部が外力を受けて曲折される場合、前記楊枝型材は、その楊枝型材における縦方向一端から他端側にかけた横方向略中央が略Ｖ字形の折れ目とされた姿態を有するものであることを特徴とする請求項１記載の楊枝。
【請求項３】
前記被曲折部は、前記楊枝型材の少なくとも一面におけるその楊枝型材の横方向略中央の部分に前記楊枝型材の縦方向一端から他端側にかけて凹設される溝部であることを特徴とする請求項１又は２に記載の楊枝。
【請求項４】
前記楊枝型材の縦方向一端部の端縁に向かって前記楊枝型材の横方向長さが漸減する略尖形状の先端部を備えており、
その先端部の頂部は、前記被曲折部と前記楊枝型材の横方向略同一位置に設けられていることを特徴とする請求項１から３のいずれかに記載の楊枝。
【請求項５】
請求項１から４のいずれかに記載された前記被曲折部を有する前記楊枝型材と、
その楊枝型材と直接的に又は間接的に連設されその楊枝型材の裏面に対向して重ね合わせられる裏面型材と、
その裏面型材に連設され前記楊枝型材の表面に対向して重ね合わせられ前記裏面型材との間に前記楊枝型材を挟み込む表面型材とを備えていることを特徴とする楊枝セット。
【請求項６】
前記楊枝型材と前記表面型材と前記裏面型材とが展開状態で一続きの略薄板状又は略シート状に形成されるセット型材と、
そのセット型材における前記楊枝型材及び裏面型材の連設部分に設けられその裏面型材に対して前記楊枝型材が折り返される楊枝裏面間折目と、
その楊枝裏面間折目と共に前記セット型材における前記表面型材及び裏面型材の連設部分に設けられその裏面型材に対して前記表面型材が折り返される表裏間折目とを備えていることを特徴とする請求項５記載の楊枝セット。
【請求項７】
前記楊枝型材の横方向に並設される２以上の前記楊枝型材と、その２以上の楊枝型材を連結する連結型材とを備えており、その連結型材によって前記２以上の楊枝型材を前記裏面型材に間接的に連設させるものであることを特徴とする請求項５又は６に記載の楊枝セット。
【請求項８】
前記楊枝型材には前記被曲折部を示す表示線が記されていることを特徴とする請求項５から７のいずれかに記載の楊枝セット。
【請求項９】
前記セット型材には前記楊枝裏面間折目又は表裏間折目の少なくとも一方を示す表示線が記されていることを特徴とする請求項６記載の楊枝セット。
【発明の詳細な説明】
【技術分野】
【０００１】
本発明は、楊枝および楊枝セットに関するものである。
【背景技術】
【０００２】
従来から爪楊枝に関しては種々の提案がなされており、その中でも木材製針状に形成された爪楊枝は広く一般に知られている。ところが、このような針状の爪楊枝は未使用時に衣服のポケット、財布または小物入れなどに収容して携行したり収納保管すると、その後、その爪楊枝を手探りで取り出す際に不注意により指などを刺して傷つけることもある。
【０００３】
また、一日のうちで爪楊枝が必要となる場面は、食後だけでも一般的には３回あり、その他の場面も考慮すれば、外出時には一度に複数本の楊枝をまとめて携行することが望まれる。しかしながら、上記した従前の爪楊枝は、複数本束ねると嵩張るため、収容スペースが限られたポケットや財布などに収容し難いものであった。
【０００４】
また、歯間清掃などに使用される爪楊枝は衛生上の観点から剥き出しにしたままポケットや財布に収容すべきではないが、爪楊枝のみを収容する別容器を持参すれば余計に嵩張るため、爪楊枝を剥き出しのまま無理にポケットや財布などに収容せざるを得ないこともある。そこで、爪楊枝を小袋などに収容してポケットや財布などに忍ばせることも可能ではあるが、針状の爪楊枝ではその先端で小袋に容易に穴が開いて不衛生ともなる。
【０００５】
そこで、これら木材製針状の爪楊枝が有する不都合を改善するため、その他の各種の楊枝も数多く提案されている。
【特許文献１】実開平５−６８５０９号公報
【特許文献２】実開平７−４２４号公報
【特許文献３】実開平６−６３０１５号公報
【発明の開示】
【発明が解決しようとする課題】
【０００６】
しかしながら、木材製針状の爪楊枝以外の上記した楊枝にあっては、その形態、製造および強度上の観点から材質が木材や樹脂材料などの軽量で比較的剛性強度が大きなものに限定せざるを得ないという問題点がある。すなわち、上記特許文献１から３に記載の爪楊枝はいずれも形態が略薄板状であるがため、その材質としては、使用時の剛性強度を維持すべく木材や樹脂材などの使用が求められる。
【０００７】
また一方で、これらの略薄板状の爪楊枝は、いずれも先端が鋭く鋭角的に尖らせてはあるが、未使用時にあっては指などに突き刺さりにくい形態とされている。例えば、特許文献１記載の楊枝にあっては容器内に収容されて、特許文献２及び３に記載の楊枝にあっては共にカード状の形態として、ポケットや小物入れなどに収納して携行されるように形成されている。
【０００８】
ところが、一旦容器内から取り出されたり、或いはカード本体から分離された後は、爪楊枝の鋭い先端が剥き出しとなるため、使用後に捨て場に困って、不用意に持ち歩いたり、或いはポケットに入れてしまうと、その後に誤って指などを突き刺してしまう虞があるという問題点もある。しかも、ビニール製のゴミ袋へ投棄されると、鋭く尖った爪楊枝の先端でゴミ袋が裂けてしまうという問題点もある。
【０００９】
本発明は、上述した問題点を解決するためになされたものであり、例えば、携行時や収納時又は使用後に指やゴミ袋などの他の物に突き刺さり難く、携行時や収納時には嵩張らず、更に、剛性強度の観点に基づいた材質の選択範囲を拡張できる楊枝および楊枝セットを提供することを目的としている。
【課題を解決するための手段】
【００１０】
この目的を達成するために請求項１記載の楊枝は、横方向長さに比べて縦方向長さが大きな略薄板状又は略シート状に形成される楊枝型材と、その楊枝型材の縦方向一端から他端側にかけたその楊枝型材の横方向略中央の部分であって外力を受けた場合に曲折可能に形成されている被曲折部とを備えている。
【００１１】
この請求項１記載の楊枝によれば、楊枝型材は非使用時に略薄板状又は略シート状の形態とされて携行または収納される。また、楊枝型材が楊枝として使用される場合には、その楊枝型材に外力が加えられて被曲折部で曲折させると、楊枝型材は、その縦方向一端から他端側にかけて横方向略中央が曲折された形態とされる。
【００１２】
請求項２記載の楊枝は、請求項１記載の楊枝において、前記被曲折部が外力を受けて曲折される場合、前記楊枝型材は、その楊枝型材における縦方向一端から他端側にかけた横方向略中央が略Ｖ字形の折れ目とされた姿態を有するものである。
【００１３】
この請求項２記載の楊枝によれば、請求項１記載の楊枝と同様に作用する上、楊枝型材は、被曲折部を折れ目として、その楊枝型材の縦方向一端から他端側にかけた横方向略中央が略Ｖ字形に曲折され、この曲折によって楊枝型材の縦方向一端部における被曲折部に尖った角部が形作られる。
【００１４】
請求項３記載の楊枝は、請求項１又は２に記載の楊枝において、前記被曲折部は、前記楊枝型材の少なくとも一面におけるその楊枝型材の横方向略中央の部分に前記楊枝型材の縦方向一端から他端側にかけて凹設される溝部である。
【００１５】
請求項４記載の楊枝は、請求項１から３のいずれかに記載の楊枝において、前記楊枝型材の縦方向一端部の端縁に向かって前記楊枝型材の横方向長さが漸減する略尖形状の先端部を備えており、その先端部の頂部は、前記被曲折部と前記楊枝型材の横方向略同一位置に設けられている。
【００１６】
この請求項４記載の楊枝によれば、請求項１から３のいずれかに記載の楊枝と同様に作用する上、楊枝型材の先端部の先端角は、被曲折部の成す角度（以下「曲折角度」という）を小さくすることによって、被曲折部が曲折される以前の状態に比べて小さくされる。このようにして楊枝型材の先端部の先端角が小さくされることによって、楊枝型材の先端部は、被曲折部が曲折される以前に比べて尖った形態とされ、歯間などの狭い隙間や食べ物など他の物に刺さり易いものに変形される。
【００１７】
請求項５記載の楊枝セットは、請求項１から４のいずれかに記載された前記被曲折部を有する前記楊枝型材と、その楊枝型材と直接的に又は間接的に連設されその楊枝型材の裏面に対向して重ね合わせられる裏面型材と、その裏面型材に連設され前記楊枝型材の表面に対向して重ね合わせられ前記裏面型材との間に前記楊枝型材を挟み込む表面型材とを備えている。
【００１８】
この請求項５記載の楊枝セットによれば、請求項１から４のいずれかに記載の楊枝と同様に作用する上、楊枝型材は、非使用時に表面型材と裏面型材との間に挟み込まれた状態で携行または収納される一方、裏面型材との連設部分で裏面型材から分離されて使用される。
【００１９】
請求項６記載の楊枝セットは、請求項５記載の楊枝セットにおいて、前記楊枝型材と前記表面型材と前記裏面型材とが展開状態で一続きの略薄板状又は略シート状に形成されるセット型材と、そのセット型材における前記楊枝型材及び裏面型材の連設部分に設けられその裏面型材に対して前記楊枝型材が折り返される楊枝裏面間折目と、その楊枝裏面間折目と共に前記セット型材における前記表面型材及び裏面型材の連設部分に設けられその裏面型材に対して前記表面型材が折り返される表裏間折目とを備えている。
【００２０】
この請求項６記載の楊枝セットによれば、請求項５記載の楊枝セットと同様に作用する上、例えば、セット型材は略薄板状又は略シート状の素材から型抜きされて形成される。このセット型材は、楊枝裏面間折目で楊枝型材が裏面型材に対して折り返され、更に、表裏間折目で表面型材が裏面型材に対して折り返される。これによって、楊枝型材は表面型材および裏面型材との間に重ね合わせられた状態で挟み込まれ、かかる状態で携行または収納される。
【００２１】
請求項７記載の楊枝セットは、請求項５又は６に記載の楊枝セットにおいて、前記楊枝型材の横方向に並設される２以上の前記楊枝型材と、その２以上の楊枝型材を連結する連結型材とを備えており、その連結型材によって前記２以上の楊枝型材を前記裏面型材に間接的に連設させるものである。
【００２２】
この請求項７記載の楊枝セットによれば、請求項５又は６に記載の楊枝セットと同様に作用する上、連結型材により連結される２以上の楊枝型材は、例えば、１つずつ連結型材から分離されて使用される。
【００２３】
請求項８記載の楊枝セットは、請求項５から７のいずれかに記載の楊枝セットにおいて、前記楊枝型材には前記被曲折部を示す表示線が記されている。
【００２４】
請求項９記載の楊枝セットは、請求項６記載の楊枝セットにおいて、前記セット型材には前記楊枝裏面間折目又は表裏間折目の少なくとも一方を示す表示線が記されている。
【発明の効果】
【００２５】
請求項１記載の楊枝によれば、楊枝型材は、被曲折部を曲折させずにおけば略薄板状又は略シート状となるので嵩張らずに携行または収納できるという効果がある。また、使用時には、楊枝型材を被曲折部で曲折させることで、楊枝型材に捩れや曲げに対する強度を付与でき、使用時に加わる負荷に対する耐力を確保できるという効果がある。しかも、楊枝型材は、その使用時に被曲折部が曲折されることで強度が付与されるものであるので、被曲折部を曲折させない略薄板状又は略シート状の形態において過分な強度が不要となる。すなわち、楊枝型材の素材には比較的柔らかい素材が使用できるという効果がある。
【００２６】
よって、楊枝型材の素材は必ずしも硬質樹脂や木材などの硬質で厚手の素材に限定されず、例えば、紙やフィルム状の樹脂材などの比較的柔らかい素材とすることもでき、楊枝型材の素材の選択肢を拡張できるという効果がある。また、このような素材で形成された楊枝型材であれば、携行時や収納時あるいは廃棄時に楊枝型材の端部が指先やゴミ袋などの他の物に突き刺さることも防止できるという効果がある。
【００２７】
請求項２記載の楊枝によれば、請求項１記載の楊枝の奏する効果に加え、楊枝型材が被曲折部で略Ｖ字形に曲折されると、楊枝型材の縦方向一端部における被曲折部は尖った角部となるので、例えば、楊枝型材の先端を歯間などの狭い隙間や食べ物などの他の物に突き刺し易くなるという効果がある。しかも、略Ｖ字形に曲折された被曲折部の曲折角度を変更することで、楊枝型材における捩れ強度や曲げ強度を適宜調節できるという効果もある。
【００２８】
請求項３記載の楊枝によれば、請求項１又は２に記載の楊枝の奏する効果に加え、楊枝型材に外力が加えられると、被曲折部である溝部に応力集中が生じるので、かかる溝部に沿って楊枝型材を容易に曲折できるという効果がある。
【００２９】
請求項４記載の楊枝によれば、請求項１から３のいずれかに記載の楊枝の奏する効果に加え、楊枝型材の先端部の先端角は、被曲折部の曲折角度を小さくすることによって、被曲折部が曲折される以前の状態に比べて尖った形態に変形される。よって、楊枝型材の先端部は、歯間などの狭い隙間や食べ物など他の物に更に突き刺し易くなり、楊枝型材の先端部が尖って細くなる分、狭い隙間であるに詰まった物、例えば、歯間に詰まった食べ滓などが掻き出し易くなるという効果がある。
【００３０】
また、視点を変えれば、被曲折部が非曲折状態である非使用時の楊枝型材にあっては、その先端部の先端角を大きくして他の物に刺さり難いものとすることができるという効果がある。このように楊枝型材は、その楊枝型材の先端部の先端角を被曲折部が非曲折状態の場合に大きくできるので、被曲折部が非曲折の状態であれば、ポケットや小物入れなどに収納した場合に取り出す際に指先などに突き刺さり難く、廃棄する場合にゴミ袋などの袋に穴を開け難く、更に、小袋などの収容袋に収容する場合に収容袋に穴を開け難いものとなるという効果がある。
【００３１】
請求項５記載の楊枝セットによれば、請求項１から４のいずれかに記載の楊枝の奏する効果に加え、楊枝型材は、携行時や収納時に表面型材と裏面型材との間に挟み込まれた状態とされるので、表面型材及び裏面型材によって未使用状態の楊枝型材の汚損や破損を防止できるという効果がある。
【００３２】
請求項６記載の楊枝セットによれば、請求項５記載の楊枝セットの奏する効果に加え、セット型材は、楊枝型材と表面型材と裏面型材とが展開状態で一続きとなる略薄板状又は略シート状に形成されるので、同一素材から楊枝型材、表面型材及び裏面型材を一度にまとめて製造でき、且つ、その分、製造コストを大幅に低減できるという効果がある。
【００３３】
請求項７記載の楊枝セットによれば、請求項５又は６に記載の楊枝セットの奏する効果に加え、１つの楊枝セットから２以上の楊枝型材を取り出すことができ、更に、２以上の楊枝型材は横方向に並設されるので、２以上の楊枝型材を表面型材及び裏面型材間に挟み込んでも、楊枝型材を挟み込んだ表面型材および裏面型材の厚みが大きくなることを防止できるという効果がある。よって、例えば、厚手の物を入れづらい財布や衣服のポケットなどの中にでも、２以上の楊枝型材を嵩張ることなく収納させて携行できるという効果がある。
【００３４】
請求項８記載の楊枝セットによれば、請求項５から７のいずれかに記載の楊枝セットの奏する効果に加え、楊枝型材には被曲折部を示す表示線が記されるので、かかる表示線を目印に使用者は被曲折部を曲折させることができるという効果がある。
【００３５】
請求項９記載の楊枝セットは、請求項６記載の楊枝セットの奏する効果に加え、セット型材には楊枝裏面間折目又は表裏間折目の少なくとも一方を示す表示線が記されるので、かかる表示線を目印にすれば、楊枝型材又は表面型材を裏面型材に対して折り曲げる作業を手作業でも容易に行えるという効果がある。
【発明を実施するための最良の形態】
【００３６】
以下、本発明の好ましい実施例について、添付図面を参照して説明する。図１は、本発明の一実施例である楊枝セット１０の材料となるセット型材１の平面図であって、楊枝セット１０の平面展開図でもある。図１に示すように、セット型材１は、全体として平面視略縦長帯状に形成され、略薄板状又は略シート状（フィルム状を含む）など薄手の素材で一続きに形成されている。
【００３７】
ここで上記した薄手の素材としては、例えば、紙材、木材、集成材、合成樹脂、再生樹脂、又は生分解性樹脂などが使用される。特に、紙材は焼却処分が容易であり、携行時や収納保管時のみならず廃棄時にも嵩張らないという利点がある。また、再生樹脂であれば資源リサイクルに資する。更に、生分解性樹脂であれば埋立投棄しても自然界の微生物などの分解者によって分解されるので土中に残留することもない。
【００３８】
セット型材１には、その縦方向（長手方向）一端側（図１下側）に複数（例えば４つ）の楊枝型材２が一体的かつ横方向に並設された状態で形成されている。複数の楊枝型材２は、いずれも縦方向（図１上下方向）の長さが横方向（図１左右方向）の長さに比べて大きく形成されており、その縦方向一端部（図１下側）には、楊枝型材２の縦方向一端縁に向かって（図１下側へ向かって）横方向長さが漸減する略尖形状の先端部２ａがそれぞれ形成されている。
【００３９】
具体的には、楊枝型材２の先端部２ａは平面視略Ｖ字形に形成されており、その先端部２ａの頂部は各楊枝型材２の横方向略中央に設けられている。この先端部２ａの頂部と横方向同一位置には、その頂部から楊枝型材２の縦方向他端（以下「基端部」という）まで楊枝型材２の縦方向へ直線状に延びる曲折線２ｂが印刷により実線で表示されている。
【００４０】
曲折線２ｂは、楊枝型材２を使用する場合に外力が加えられて曲折される被曲折部を示す表示であり、この曲折線２ｂに沿った折目で楊枝型材２を曲折させることを使用者に提示する目印としても機能する。また、各楊枝型材２の間には各楊枝型材２を分離する切れ目であるスリット２ｃが形成され、これらのスリット２ｃは、楊枝型材２の先端部２ａから基端部まで連続して設けられている。
【００４１】
複数の楊枝型材２はいずれもセット型材１の一部であり、これら複数の楊枝型材２の基端部はいずれも連結型材３と一体的に連設されている。連結型材３は、裏面型材４と複数の楊枝型材２とを連結させるためのものであり、平面視略矩形状に形成されている。複数の楊枝型材２はその基端部が連結型材３の縦方向一端の縁辺（図１下側）に連設されており、連結型材３と複数の楊枝型材２との境界には、連結型材３の横方向両端にかけて直線状に延びる切取線５が印刷により破線で表示されている。
【００４２】
この切取線５は、連結型材３から楊枝型材２を切り取って分離させる箇所を使用者に対して提示する目印としての機能を有している。一方、連結型材３と裏面型材４との連設部分、すなわち両型材３，４の境界には、両型材３，４の横方向両端にかけて直線状に延びる折目線６が印刷により実線で表示されている。この折目線６は、連結型材３を裏面型材４に対して折り返す位置を示す目印の表示であり、連結型材３の略中央には、この折目線６及び切取線５に平行な切れ目である差込み口３ａが穿設されている。
【００４３】
裏面型材４は、折目線６で折り返された連結型材３及び複数の楊枝型材２の裏面側を覆う包装としての機能を有しており、その縦方向長さが楊枝型材２の先端部２ａから折目線６まで縦方向の長さより大きくな平面視略矩形状に形成されている。この裏面型材４の縦方向一端の縁辺（図１下側）は上記の通り連結型材３と連設されているが、その縦方向他端の縁辺（図１上側）には平面視略矩形状の表面型材７が連設されている。
【００４４】
表面型材７は複数の楊枝型材２の表面側を覆う包装としての機能を有しており、その表面型材７と裏面型材４との連設部分、すなわち両型材４，７の境界には、両型材４，７の横方向両端にかけて直線状に延びる折目線８が印刷により実線で表示されている。この折目線８は表面型材７を裏面型材４に対して折り返す位置を示す目印の表示であり、この表面型材７には、裏面型材４連設側とは反対側の端縁に平面視略円弧状の舌片に形成された差込み片７ａが突設されている。
【００４５】
次に、図１及び図２を参照して、楊枝セット１０の製造方法の一例について説明する。ここで、図２（ａ）は、連結型材３が折目線６で折り返された状態を示す斜視図であり、図２（ｂ）は、楊枝セット１０の斜視図である。まず、原材料となる紙材などの表面に上記したセット型材１が印刷される。具体的には、原材料の表面に、複数の楊枝型材２の外形線（スリット２ｃを示す線を含む）、連結型材３の外形線（差込み口３ａを示す線を含む）、裏面型材４の外形線、表面型材７の外形線、曲折線２ｂ、切取線５及び折目線６，８がそれぞれ印刷される。
【００４６】
このようにセット型材１が印刷された原材料から、そのセット型材１が型抜きされると、図１に示すセット型材１が完成する。次に、完成したセット型材１には、スリット２ｃを示す線に沿って切り込みが入れられスリット２ｃが形成され、差込み口３ａを示す線にも切り込みが入れられる。そして、連結型材３が折目線６で裏面型材４に対して折り返されて、その裏面型材４が複数の楊枝型材２の裏面側に対向するように重ね合わせられると、図２（ａ）に示すように、複数の楊枝型材２の裏面側が裏面型材４によって覆われる。
【００４７】
それから更に、表面型材７が折目線８で裏面型材４に対して折り返されて、その表面型材７が複数の楊枝型材２の表面側に対向するように重ね合わせられると、図２（ｂ）に示すように、複数の楊枝型材２の表面側が表面型材７により覆われて包装される。そして更に、差込み片７ａが差込み口３ａに挿入されて表面型材７が連結型材３に留められると、裏面型材４と表面型材７との間に複数の楊枝型材２が挟み込まれた状態となって、楊枝セット１０が完成する。
【００４８】
次に、図３及び図４を参照して、楊枝セット１０の使用方法について説明する。図３（ａ）は、楊枝セット１０から楊枝型材２を切り取った状態を示す図であり、図３（ｂ）は、曲折線２ｂで曲折された楊枝型材２の斜視図である。図３（ａ）に示すように、楊枝型材２を使用する場合は、切取線５で楊枝型材２の基端部が連結型材３から切り取られ、この切り取られた楊枝型材２毎に使用される。
【００４９】
このように切り取られた楊枝型材２を使用する場合、かかる楊枝型材２は、図３（ｂ）に示すように、曲折線２ｂに沿って曲折され、楊枝型材２における縦方向一端から他端にかけた横方向略中央の部分が略Ｖ字形の折れ曲がった姿態（形態）に変形される。このように曲折線２ｂで曲折されることによって、楊枝型材２には捩れ強度や曲げ強度が付与される。
【００５０】
図４（ａ）は、図４（ｂ）の矢印Ａ方向からの矢視図であり、図４（ｂ）は、曲折線２ｂが非曲折状態である楊枝型材２の平面図であり、図４（ｃ）は、図４（ｄ）の矢印Ｃ方向からの矢視図であり、図４（ｄ）は、曲折線２ｂを略４５°で曲折させた楊枝型材２の平面図である。
【００５１】
図４（ａ）に示すように、楊枝型材２が曲折線２ｂで非曲折状態の場合、即ち、図４（ｂ）に示すように楊枝型材２が横方向に水平な形態（θ≒１８０°）である場合、楊枝型材２の先端部２ａの先端角αが略８０°とされている。そして、図４（ｃ）に示すように、楊枝型材２が曲折線２ｂで曲折され、その折曲部２ｄの内角（曲折角度）θが略４５°にされると（θ≒４５°）、楊枝型材２の先端部２ａの先端角αは略４９°となる（α≒４９°）。
【００５２】
このように、楊枝型材２は折曲部２ｄの内角θを小さくすれば先端部２ａの先端角αを小さくできる一方、内角θを大きくすれば先端角αを大きくできる。しかも、折曲部２ｄの内角θの大きさを調節することによって、楊枝型材２の捩り強度や曲げ強度の大きさを調節することもでき、先端角αの大きさも調節することができる。
【００５３】
次に、図５を参照して、上記実施例の変形例について説明する。図５は、第２実施例のセット型材２０の平面図であり、そのセット型材２０を材料とする楊枝セットの平面展開図でもある。第２実施例のセット型材２０は、上記した第１実施例の楊枝型材２に対して、その先端部の平面形状を変更したものである。以下、第１実施例と同一の部分には同一の符号を付して、その説明を省略し、異なる部分のみを説明する。
【００５４】
図５に示すように、第２実施例のセット型材２０には、複数の楊枝型材２１が横方向に並設されており、各楊枝型材２１の先端部２１ａは、その楊枝型材２１の縦方向一端縁に向かって（図５下側へ向かって）横方向長さが漸減する略尖形状であって、平面視略Ｕ字形に形成されている。このように先端部２１ａが平面視略Ｖ字形ではなく平面視略Ｕ字形の形態であっても、楊枝型材２１は、曲折線２ｂで曲折されることによって、その先端角を小さくでき、狭い隙間や物に突き刺さり易くなる。
【００５５】
図６は、第３実施例のセット型材３０の平面図であり、そのセット型材３０を材料とする楊枝セットの平面展開図でもある。第３実施例のセット型材３０は、上記した第１実施例のセット型材１に対して、平面展開状態での平面形状を変更したものである。以下、第１実施例と同一の部分には同一の符号を付して、その説明を省略し、異なる部分のみを説明する。
【００５６】
図６に示すように、第３実施例のセット型材３０は、裏面型材３１の縦方向（図６上下方向）両端の縁辺にそれぞれ連結型材３，３が連設されており、この一対の連結型材３，３にそれぞれ４つずつ楊枝型材２が連設されている。裏面型材３１の横方向一端の縁辺（図６左側）には、表面型材３２が連設されており、裏面型材３１と、連結型材３，３及び表面型材３２との境界には折目線３３〜３５が印刷により実線で表示されている。
【００５７】
この第３実施例のセット型材３０によれば、一対の連結型材３，３を１つずつ順番に折目線３３，３４で折り返して重ね合わせ、その上に更に表面型材３２を折目線３５で折り返して重ね合わせると、楊枝セットが完成する。
【００５８】
図７（ａ）は、第４実施例の楊枝型材５０の平面図であり、図７（ｂ）は、図７（ａ）の矢印Ｂ方向からの拡大矢視図（拡大正面図）である。第４実施例の楊枝型材５０は、第１実施例の楊枝型材２に対して、その楊枝型材２の曲折線２ｂ又は折曲部２ｄを変更したものである。以下、第１実施例と同一の部分には同一の符号を付して、その説明を省略し、異なる部分のみを説明する。
【００５９】
図７（ａ）に示すように、第４実施例の楊枝型材５０は、その先端部２ａの頂部から楊枝型材５０の基端部（図７（ａ）上側）までに楊枝型材５０の縦方向へ直線状に延びる曲折溝５１が凹設されている。図７（ｂ）に示すように、曲折溝５１は、楊枝型材５０の一面における横方向略中央に略Ｖ字形に凹設されており、この曲折溝５１の谷底部分の厚みが楊枝型材５０における他の部位に比べて小さく（薄く）形成されている。
【００６０】
このため、曲折溝５１には応力集中が生じ易くなるので、楊枝型材５０を曲折させるための外力が加えられると、曲折溝５１に沿って容易に楊枝型材５０を曲折できるのである。このような曲折溝５１が凹設された楊枝型材５０によれば、例えば、比較的厚手の樹脂板などで形成された楊枝型材であっても容易に曲折可能とすることができる。
【００６１】
図８（ａ）は、第５実施例の楊枝型材６０の正面図であり、図８（ｂ）は、第６実施例の楊枝型材７０の正面図である。第５及び第６実施例の楊枝型材６０，７０は、第４実施例の楊枝型材５０に対して、曲折溝の形態を変更したものである。図８（ａ）に示すように、第５実施例の楊枝型材６０は、一対の略円弧状の曲折溝６１，６１が楊枝型材６０の横方向略中央両面における向かい合わせとなる位置に凹設されており、この一対の曲折溝６１，６１によって楊枝型材６０が局部的に薄肉状とされ曲折され易く形成されている。
【００６２】
一方、図８（ｂ）に示すように、第６実施例の楊枝型材７０は、その楊枝型材７０の横方向略中央における一面に曲折溝７１が凹設されているが、曲折溝７１の反凹設側となる楊枝型材７０の面が隆起した形態とされている。このため、曲折溝７１の谷底部分の厚みは楊枝型材７０の他の部位に比べて極端に薄肉とはされていないが、曲折溝７１を凹設することによって、楊枝型材７０に外力が加えられた場合に曲折溝７１に応力集中が生じ易くなっている。よって、上記した楊枝型材５０，６０と同様に楊枝型材７０も曲折溝７１にて曲折させ易いのである。
【００６３】
なお、上記した曲折溝５１，６１，７１の成形方法は、特に限定されるものではなく、例えば、楊枝型材５０，６０，７０の材質などに応じて、種々の方法が選択可能である。具体的には、樹脂製の楊枝型材であれば射出成形であっても良く、また、紙材製の楊枝型材であれば、凸版印刷用の刷版などを用いたプレス加工であっても良い。
【００６４】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６５】
例えば、本実施例では、セット型材１から楊枝型材２を切り取って使用する形態について説明したが、楊枝型材２は必ずしも楊枝セット１０の一部である必要はなく、楊枝型材２を単体で製造したり、楊枝型材２を楊枝セット１０から分離した状態で携行したり又は収納保管したりしても良い。また、本実施例では、楊枝セット１０に４つの楊枝型材２を設けたが、この楊枝セット１０に設けられる楊枝型材２の数は必ずしもこれに限定されるものではなく、１又は２以上の楊枝型材を楊枝セットに設けるようにしても良い。
【００６６】
また、本実施例では、セット型材１，２０，３０の外形線、その他の各線２ｂ，５，６，８，３３〜３５を原材料に印刷するものとして説明したが、これらの表示方法は必ずしも印刷に限定されるものではなく、例えば、セット型材や楊枝型材の材質に応じて適宜変更しても良い。例えば、木材製であれば焼印などでも良く、樹脂製の場合は刻印などでも良い。また、これらの線は必ずしも常に必要なものでもなく、例えば、セット型材の外形線を原材料となる原紙に全く印刷せずに、原紙からセット型材や楊枝型材を直接に型抜きしても良い。
【００６７】
また、本実施例では、楊枝セット１０から楊枝型材２を切り取る位置を示すために切取線５を単に表示しただけだが、楊枝型材２を楊枝セット１０から切取線５で切り取り易くするために切取線５に沿ってミシン目を形成しておいても良い。更に、本実施例では、楊枝型材２が連結型材３を介して裏面型材４に間接的に連設されたが、必ずしも連結型材３を介在させる必要はなく、例えば、楊枝型材２の基端部を直接に裏面型材４の端縁に連設させるように形成しても良い。しかも、楊枝型材と裏面型材との連設部分は必ずしも楊枝型材の基端部に限定されるものではなく、楊枝型材の側縁や先端部を裏面型材に直接又は間接的に連設させる形態であっても良い。
【００６８】
また、本実施例では、楊枝型材２を使用する場合に、楊枝型材２の曲折線２ｂに折目を付けて略Ｖ字形に曲折させて使用するものと説明したが、楊枝型材２の使用時の形態は必ずしもこれに限定されるものではなく、曲折線２ｂで楊枝型材２を略Ｕ字形に曲折させて使用しても良い。すなわち、楊枝型材２を先端部２ａから基端部側にかけて曲折線２ｂの位置（横方向略中央部）で曲折させることによって、楊枝型材２に捩り強度や曲げ強度が付与され、且つ、先端部２ａが未曲折状態に比べて尖った形態に変形できれば良い。
【００６９】
また、上記した楊枝型材２の大きさは特に限定していないが、例えば、従前の木材製の爪楊枝や食べ物を刺すスティックなどの小型サイズのものから、竹串などの中型サイズ、或いは、アウトドア用品として利用される食べ物用のピック等の大型サイズのものであっても良い。また、未使用時には略薄板状又は略シート状となるので、楊枝型材２自体を食器として転用しても良い。
【００７０】
更に、本実施例では、裏面型材４及び表面型材７の平面形状を略矩形状に限定したが、これらの型材の平面形状は必ずしもこれに限定されるものではなく、裏面型材や表面型材の形状に文字、記号又は各種図形を用いて装飾性を付与しても良い。また、裏面型材や表面型材に文字、記号又は各種図形を印刷して装飾性を付与したり、或いは、広告媒体として利用しても良い。例えば、裏面型材や表面型材をキャラクターの形状に形成し、その表面にキャラクターの図形や色彩などを付しても良い。
【図面の簡単な説明】
【００７１】
【図１】本発明の一実施例である楊枝セットの材料となるセット型材の平面図であって、楊枝セットの平面展開図でもある。
【図２】（ａ）は、連結型材が折目線で折り返された状態を示す斜視図であり、（ｂ）は、楊枝セットの斜視図である。
【図３】（ａ）は、楊枝セットから楊枝型材を切り取った状態を示す図であり、（ｂ）は、曲折線で曲折された楊枝型材の斜視図である。
【図４】（ａ）は、（ｂ）の矢印Ａ方向からの矢視図であり、（ｂ）は、曲折線が非曲折状態である楊枝型材の平面図であり、（ｃ）は、（ｄ）の矢印Ｃ方向からの矢視図であり、（ｄ）は、曲折線を略４５°で曲折させた楊枝型材の平面図である。
【図５】第２実施例のセット型材の平面図であり、そのセット型材を材料とする楊枝セットの平面展開図でもある。
【図６】第３実施例のセット型材の平面図であり、そのセット型材を材料とする楊枝セットの平面展開図でもある。
【図７】（ａ）は、第４実施例の楊枝型材の平面図であり、（ｂ）は、（ａ）の矢印Ｂ方向からの拡大矢視図（拡大正面図）である。
【図８】（ａ）は、第５実施例の楊枝型材の正面図であり、（ｂ）は、第６実施例の楊枝型材の正面図である。
【符号の説明】
【００７２】
１，２０，３０                セット型材
２，２１，５０，６０，７０    楊枝型材
２ａ，２１ａ                  先端部（楊枝型材の縦方向一端部）
２ｂ                          曲折線（被曲折部、被曲折部を示す表示線）
２ｄ                          折曲部（曲折された被曲折部、被曲折部の折れ目）
３                            連結型材（連結型材、裏面型材の一部）
４，３１                      裏面型材（裏面型材、裏面型材の一部）
５                            切取線
６，３３，３４                折目線（楊枝裏面間折目、楊枝裏面間折を示す表示線）
７，３２                      表面型材
８，３５                      折目線（表裏間折目、表裏間折目を示す表示線）
１０                          楊枝セット
５１，６１，７１              曲折溝（被曲折部）
【図１】
2005168580.tif 000003
【図２】
2005168580.tif 000004
【図３】
2005168580.tif 000005
【図４】
2005168580.tif 000006
【図５】
2005168580.tif 000007
【図６】
2005168580.tif 000008
【図７】
2005168580.tif 000009
【図８】
2005168580.tif 000010